(57)【要約】【課題】同じ色彩値であっても記録材の使用量に応じて発色特性が異なる場合に所望の発色特性の色を選択することが可能にさせる。【解決手段】印刷装置に印刷を実行させる画像処理装置は、色空間の座標値である色彩値と、記録材の使用量に対応する記録材値と、の対応関係を複数含むカラープロファイルを記憶している記憶部と、カラーチャートを前記印刷装置に印刷させるプロセッサーと、を備える。前記プロセッサーは、前記カラープロファイルに含まれる前記複数の対応関係に従って、前記色空間の座標値である特定色彩値に対応する前記記録材値である特定記録材値を複数取得し、各前記特定記録材値について対応する前記使用量のパッチを含む前記カラーチャートを前記印刷装置に印刷させる。【選択図】図３
2020198585.tif 000002
【特許請求の範囲】
【請求項１】
印刷装置に印刷を実行させる画像処理装置であって、
色空間の座標値である色彩値と、記録材の使用量に対応する記録材値と、の対応関係を複数含むカラープロファイルを記憶している記憶部と、
カラーチャートを前記印刷装置に印刷させるプロセッサーと、を備え、
前記プロセッサーは、前記カラープロファイルに含まれる前記複数の対応関係に従って、前記色空間の座標値である特定色彩値に対応する前記記録材値である特定記録材値を複数取得し、各前記特定記録材値について対応する前記使用量のパッチを含む前記カラーチャートを前記印刷装置に印刷させる、画像処理装置。
【請求項２】
前記記録材値は、シアン、マゼンタ、イエロー、ブラック、及び、蛍光色の前記使用量にそれぞれ対応する値を含み、
前記カラーチャートは、前記蛍光色の前記使用量が第一蛍光色使用量である前記パッチ、及び、前記蛍光色の前記使用量が前記第一蛍光色使用量とは異なる第二蛍光色使用量である前記パッチを含む、請求項１に記載の画像処理装置。
【請求項３】
前記記録材値は、シアン、マゼンタ、イエロー、及び、ブラックの前記使用量にそれぞれ対応する値を含み、
前記カラーチャートは、前記ブラックの前記使用量が第一ブラック使用量である前記パッチ、及び、前記ブラックの前記使用量が前記第一ブラック使用量とは異なる第二ブラック使用量である前記パッチを含む、請求項１に記載の画像処理装置。
【請求項４】
前記記録材値は、シアン、マゼンタ、イエロー、ブラック、及び、透明の前記使用量にそれぞれ対応する値を含み、
前記カラーチャートは、前記透明の前記使用量が第一透明使用量である前記パッチ、及び、前記透明の前記使用量が前記第一透明使用量とは異なる第二透明使用量である前記パッチを含む、請求項１に記載の画像処理装置。
【請求項５】
前記カラーチャートは、前記複数のパッチとして複数の第一調色パッチを含む第一調色チャート、及び、前記複数のパッチとして複数の第二調色パッチを含む第二調色チャートを含み、
前記プロセッサーは、
互いに前記色彩値が異なる前記複数の第一調色パッチを含む前記第一調色チャートを前記印刷装置に印刷させる第一の処理と、
前記第一調色チャートに含まれる前記第一調色パッチの選択操作に応じた前記特定色彩値を決定する第二の処理と、
前記特定色彩値に対応する前記複数の特定記録材値を前記複数の対応関係に従って取得する第三の処理と、
各前記特定記録材値について対応する前記使用量の前記第二調色パッチを含む第二調色チャートを前記印刷装置に印刷させる第四の処理と、
前記第二調色チャートに含まれる前記第二調色パッチの選択を受け付ける第五の処理と、を実行する、請求項１〜請求項４のいずれか一項に記載の画像処理装置。
【請求項６】
前記プロセッサーは、前記特定色彩値に対応する各前記特定記録材値に対応する前記使用量の前記パッチを含む第一パッチ群と、前記特定色彩値とは所定色差異なる周辺色彩値に対応する各前記特定記録材値に対応する前記使用量の前記パッチを含む第二パッチ群と、を含む前記カラーチャートを前記印刷装置に印刷させる、請求項１〜請求項５のいずれか一項に記載の画像処理装置。
【請求項７】
印刷装置に印刷を実行させる画像処理方法であって、
色空間の座標値である色彩値と、記録材の使用量に対応する記録材値と、の対応関係を複数含むカラープロファイルに含まれる前記複数の対応関係に従って、前記色空間の座標値である特定色彩値に対応する前記記録材値である特定記録材値を複数取得する取得工程と、
各前記特定記録材値について対応する前記使用量のパッチを含むカラーチャートを前記印刷装置に印刷させる制御工程と、を含む、画像処理方法。
【請求項８】
前記印刷装置は、前記カラーチャートを第一媒体に印刷し、
前記画像処理方法は、
前記第一媒体に印刷された前記カラーチャートを第二媒体に転写する転写工程と、
前記第二媒体に転写された前記カラーチャートに含まれる前記パッチの選択操作を受け付ける受付工程と、をさらに含む、請求項７に記載の画像処理方法。
【請求項９】
印刷装置に印刷を実行させるための画像処理プログラムであって、
色空間の座標値である色彩値と、記録材の使用量に対応する記録材値と、の対応関係を複数含むカラープロファイルに含まれる前記複数の対応関係に従って、前記色空間の座標値である特定色彩値に対応する前記記録材値である特定記録材値を複数取得する取得機能と、
各前記特定記録材値について対応する前記使用量のパッチを含むカラーチャートを前記印刷装置に印刷させる制御機能と、をコンピューターに実現させる、画像処理プログラム。
【発明の詳細な説明】
【技術分野】
【０００１】
本発明は、印刷装置に印刷を実行させる画像処理装置、画像処理方法、及び、画像処理プログラムに関する。
【背景技術】
【０００２】
特許文献１に開示された画像形成装置は、基準色で塗りつぶされる基準パッチを起点として所定方向に沿って色情報の差が所定間隔となるように各パッチを並べることを基本態様として、複数のパッチを並べた色調整用チャートを印刷する。前述の画像形成装置は、所定方向に沿って並ぶ各パッチの粒状性指標又は色差に基づいて基本態様を変更し、該変更した態様で色調整用チャートを印刷する。
【先行技術文献】
【特許文献】
【０００３】
【特許文献１】特開２０１３−１０２３６４号公報
【発明の概要】
【発明が解決しようとする課題】
【０００４】
パッチ毎に色彩値が異なる色調整用チャートを使用すると、ユーザーは、色彩値の違いによる色合いを選択することができる。しかし、各パッチについて、色彩値が同じでも、インクの含有量が異なると発色特性が違ってくる。例えば、複数のインクに蛍光色インクが含まれる場合、各パッチについて、同じ色彩値でも蛍光色インクの含有量が異なると、蛍光の光り方が違ってくる。また、シアンインク、マゼンタインク、イエローインク、及び、ブラックインクを使用する場合、各パッチについて、同じ色彩値でもブラックインクの含有量が異なると、ブラックインクのドットによる粒状感が違ってくる。上述した技術は、同じ色彩値における発色特性の違いを確認することができない。
【課題を解決するための手段】
【０００５】
本発明の画像処理装置は、印刷装置に印刷を実行させる画像処理装置であって、
色空間の座標値である色彩値と、記録材の使用量に対応する記録材値と、の対応関係を複数含むカラープロファイルを記憶している記憶部と、
カラーチャートを前記印刷装置に印刷させるプロセッサーと、を備え、
前記プロセッサーは、前記カラープロファイルに含まれる前記複数の対応関係に従って、前記色空間の座標値である特定色彩値に対応する前記記録材値である特定記録材値を複数取得し、各前記特定記録材値について対応する前記使用量のパッチを含む前記カラーチャートを前記印刷装置に印刷させる、態様を有する。
【０００６】
また、本発明の画像処理方法は、印刷装置に印刷を実行させる画像処理方法であって、
色空間の座標値である色彩値と、記録材の使用量に対応する記録材値と、の対応関係を複数含むカラープロファイルに含まれる前記複数の対応関係に従って、前記色空間の座標値である特定色彩値に対応する前記記録材値である特定記録材値を複数取得する取得工程と、
各前記特定記録材値について対応する前記使用量のパッチを含むカラーチャートを前記印刷装置に印刷させる制御工程と、を含む、態様を有する。
【０００７】
さらに、本発明の画像処理プログラムは、印刷装置に印刷を実行させるための画像処理プログラムであって、
色空間の座標値である色彩値と、記録材の使用量に対応する記録材値と、の対応関係を複数含むカラープロファイルに含まれる前記複数の対応関係に従って、前記色空間の座標値である特定色彩値に対応する前記記録材値である特定記録材値を複数取得する取得機能と、
各前記特定記録材値について対応する前記使用量のパッチを含むカラーチャートを前記印刷装置に印刷させる制御機能と、をコンピューターに実現させる、態様を有する。
【図面の簡単な説明】
【０００８】
【図１】画像処理システムの構成例を模式的に示すブロック図。
【図２】第一調色チャートの印刷物の例を模式的に示す図。
【図３】第二調色チャートの印刷物の例を模式的に示す図。
【図４】カラープロファイルに含まれる色変換テーブルの構造例を模式的に示す図。
【図５】画像処理装置が行う色設定処理の例を示すフローチャート。
【図６】ユーザーインターフェイス画面の例を模式的に示す図。
【図７】転写装置の例を模式的に示す図。
【図８】第二調色チャート印刷物の別の例を模式的に示す図。
【図９】第二調色チャート印刷物の別の例を模式的に示す図。
【図１０】第二調色チャート印刷物の別の例を模式的に示す図。
【発明を実施するための形態】
【０００９】
以下、本発明の実施形態を説明する。むろん、以下の実施形態は本発明を例示するものに過ぎず、実施形態に示す特徴の全てが発明の解決手段に必須になるとは限らない。
【００１０】
（１）本発明に含まれる技術の概要：
まず、図１〜１０に示される例を参照して本発明に含まれる技術の概要を説明する。尚、本願の図は模式的に例を示す図であり、これらの図に示される各方向の拡大率は異なることがあり、各図は整合していないことがある。むろん、本技術の各要素は、符号で示される具体例に限定されない。「本発明に含まれる技術の概要」において、括弧内は直前の語の補足説明を意味する。
【００１１】
態様１：
図１に例示するように、本技術の一態様に係る画像処理装置１０は、記憶部（例えば記憶装置１５）とプロセッサー（例えば制御部１１）を備える。図１，４に例示するように、前記記憶部（１５）は、色空間の座標値である色彩値（例えば図４に示すＬａｂ０ｊ）と、記録材の使用量に対応する記録材値（例えば図４に示すＣＭＹＫＦｙｉｊ）と、の対応関係ＣＯを複数含むカラープロファイル５０を記憶している。前記プロセッサー（１１）は、前記カラープロファイル５０に含まれる前記複数の対応関係ＣＯに従って、前記色空間の座標値である特定色彩値（例えば図５に示すＬ０，ａ０，ｂ０）に対応する前記記録材値である特定記録材値（例えば図５に示すＣｉ，Ｍｉ，Ｙｉ，Ｋｉ，Ｆｙｉ）を複数取得し、各前記特定記録材値について対応する前記使用量のパッチを含むカラーチャート（例えば図３に示す第二調色チャートＣＨ２）を印刷装置（例えば図１に示すプリンター２０）に印刷させる。
【００１２】
同じ特定色彩値で異なる複数の特定記録材値のそれぞれに対応する記録材使用量のパッチを含むカラーチャート（ＣＨ２）が印刷されるので、ユーザーは同じ色彩値において異なる発色特性を確認することができる。従って、本態様は、同じ色彩値であっても記録材の使用量に応じて発色特性が異なる場合に所望の発色特性の色を選択することが可能な画像処理装置を提供することができる。
【００１３】
ここで、色空間は、機器独立色空間（device independent color space）が好ましいものの、機器従属色空間（device dependent color space）でもよい。機器独立色空間には、ＣＩＥ（国際照明委員会）Ｌ*ａ*ｂ*色空間、ＣＩＥ ＸＹＺ色空間、等がある。色彩値には、Ｌ*ａ*ｂ*色空間の座標値であるＬ*ａ*ｂ*値、ＸＹＺ色空間の座標値であるＸＹＺ値、等がある。以下、「*」の記載を省略する。
記録材値には、後述する態様２〜４において特定される値といった様々な値が含まれる。
尚、上述した付言は、以下の態様においても適用される。
【００１４】
態様２：
前記記録材値は、シアン（Ｃ）、マゼンタ（Ｍ）、イエロー（Ｙ）、ブラック（Ｋ）、及び、蛍光色（例えばＦｙ）の前記使用量にそれぞれ対応する値を含んでいてもよい。図３に例示するように、前記カラーチャート（ＣＨ２）は、前記蛍光色の前記使用量が第一蛍光色使用量（例えばＦｙ１に対応する使用量）である前記パッチ（例えばパッチＰＡ２１）、及び、前記蛍光色の前記使用量が前記第一蛍光色使用量とは異なる第二蛍光色使用量（例えばＦｙ２に対応する使用量）である前記パッチ（例えばパッチＰＡ２２）を含んでいてもよい。本態様は、同じ色彩値であっても蛍光色の記録材の使用量に応じて蛍光特性が異なる複数の色から所望の蛍光特性の色を選択することが可能となる。
ここで、本願における「第一」、「第二」、「第三」、…は、各構成要素を識別するための用語であり、順番を意味しない。この付言は、以下の態様においても適用される。
【００１５】
態様３：
前記記録材値は、シアン（Ｃ）、マゼンタ（Ｍ）、イエロー（Ｙ）、及び、ブラック（Ｋ）の前記使用量にそれぞれ対応する値を含んでいてもよい。図８に例示するように、前記カラーチャートは、前記ブラックの前記使用量が第一ブラック使用量（例えばＫ１に対応する使用量）である前記パッチ（例えばパッチＰＡ２１）、及び、前記ブラックの前記使用量が前記第一ブラック使用量とは異なる第二ブラック使用量（例えばＫ２に対応する使用量）である前記パッチ（例えばパッチＰＡ２２）を含んでいてもよい。本態様は、同じ色彩値であってもブラックの記録材の使用量に応じて粒状性が異なる複数の色から所望の粒状性の色を選択することが可能となる。
【００１６】
態様４：
前記記録材値は、シアン（Ｃ）、マゼンタ（Ｍ）、イエロー（Ｙ）、ブラック（Ｋ）、及び、透明（ＣＬ）の前記使用量にそれぞれ対応する値を含んでいてもよい。図９に例示するように、前記カラーチャートは、前記透明の前記使用量が第一透明使用量（例えばＣＬ１に対応する使用量）である前記パッチ（例えばパッチＰＡ２１）、及び、前記透明の前記使用量が前記第一透明使用量とは異なる第二透明使用量（例えばＣＬ２に対応する使用量）である前記パッチ（例えばパッチＰＡ２２）を含んでいてもよい。本態様は、同じ色彩値であっても透明記録材の使用量に応じて表面効果が異なる複数の色から所望の表面効果の色を選択することが可能となる。
【００１７】
態様５：
図２，３に例示するように、前記カラーチャートは、前記複数のパッチとして複数の第一調色パッチＰＡ１を含む第一調色チャートＣＨ１、及び、前記複数のパッチとして複数の第二調色パッチＰＡ２を含む第二調色チャートＣＨ２を含んでいてもよい。図５に例示するように、前記プロセッサー（１１）は、以下の処理を行ってもよい。
互いに前記色彩値が異なる前記複数の第一調色パッチＰＡ１を含む前記第一調色チャートＣＨ１を前記印刷装置（２０）に印刷させる第一の処理。
前記第一調色チャートＣＨ１に含まれる前記第一調色パッチＰＡ１の選択に応じた前記特定色彩値を決定する第二の処理。
前記特定色彩値に対応する前記複数の特定記録材値を前記複数の対応関係ＣＯに従って取得する第三の処理。
各前記特定記録材値について対応する前記使用量の前記第二調色パッチＰＡ２を含む第二調色チャートＣＨ２を前記印刷装置（２０）に印刷させる第四の処理。
前記第二調色チャートＣＨ２に含まれる前記第二調色パッチＰＡ２の選択を受け付ける第五の処理。
【００１８】
態様５では、発色特性を選択する際に基準となる特定色彩値を決めたうえで第二調色パッチＰＡ２を選択することができるので、利便性を向上させることができる。
【００１９】
態様６：
図１０に例示するように、前記プロセッサー（１１）は、前記特定色彩値（例えばＬ０，ａ０，ｂ０）に対応する各前記特定記録材値（例えば図５に示すＣｉ，Ｍｉ，Ｙｉ，Ｋｉ，Ｆｙｉ）に対応する前記使用量の前記パッチを含む第一パッチ群Ｇ１と、前記特定色彩値とは所定色差異なる周辺色彩値に対応する各前記特定記録材値に対応する前記使用量の前記パッチを含む第二パッチ群Ｐ２と、を含む前記カラーチャートを前記印刷装置（２０）に印刷させてもよい。この態様は、基準となる特定色彩値よりも発色特性を優先して色を選択することが可能となる。
【００２０】
態様７：
ところで、図５に例示するように、本技術の一態様に係る画像処理方法は、印刷装置（２０）に印刷を実行させる画像処理方法であって、取得工程（例えば第三工程ＳＴ３）と制御工程（例えば第四工程ＳＴ４）を含む。前記取得工程（ＳＴ３）では、色空間の座標値である色彩値と、記録材の使用量に対応する記録材値と、の対応関係ＣＯを複数含むカラープロファイル５０に含まれる前記複数の対応関係ＣＯに従って、前記色空間の座標値である特定色彩値に対応する前記記録材値である特定記録材値を複数取得する。前記制御工程（ＳＴ４）では、各前記特定記録材値について対応する前記使用量のパッチを含むカラーチャートを前記印刷装置（２０）に印刷させる。
【００２１】
同じ特定色彩値で異なる複数の特定記録材値のそれぞれに対応する記録材使用量のパッチを含むカラーチャートが印刷されるので、ユーザーは同じ色彩値において異なる発色特性を確認することができる。従って、本態様は、同じ色彩値であっても記録材の使用量に応じて発色特性が異なる場合に所望の発色特性の色を選択することが可能な画像処理方法を提供することができる。
【００２２】
態様８：
前記印刷装置（２０）は、前記カラーチャートを第一媒体（例えば熱転写紙ＭＥ１）に印刷してもよい。図７に例示するように、前記画像処理方法は、前記第一媒体（ＭＥ１）に印刷された前記カラーチャートを第二媒体（例えば布ＭＥ２）に転写する転写工程ＳＴ６と、前記第二媒体（ＭＥ２）に転写された前記カラーチャートに含まれる前記パッチの選択操作を受け付ける受付工程（ＳＴ５）と、をさらに含んでいてもよい。本態様は、転写型印刷装置を使用する場合において、同じ色彩値であっても記録材の使用量に応じて発色特性が異なる場合に所望の発色特性の色を選択する好適な方法を提供することができる。
【００２３】
態様９：
また、図１に例示するように、本技術の一態様に係る画像処理プログラムＰＲ０は、取得工程（ＳＴ３）に対応する取得機能（例えば特定記録材値取得機能ＦＵ３）、及び、制御工程（ＳＴ４）に対応する制御機能（例えば第二調色チャート印刷制御機能ＦＵ４）をコンピューター（例えば画像処理装置１０）に実現させる。本態様は、同じ色彩値であっても記録材の使用量に応じて発色特性が異なる場合に所望の発色特性の色を選択することが可能な画像処理プログラムを提供することができる。
【００２４】
さらに、本技術は、画像処理装置を含む画像処理システム、画像処理システムの制御方法、画像処理システムの制御プログラム、前述のいずれかのプログラムを記録したコンピューター読み取り可能な媒体、等に適用可能である。画像処理装置や画像処理システムは、分散した複数の部分で構成されてもよい。
【００２５】
（２）画像処理装置の具体例：
図１は、画像処理装置１０を含む画像処理システムＳＹ１の構成を模式的に例示している。図１に示す画像処理システムＳＹ１は、画像処理装置１０、印刷装置の例であるプリンター２０、及び、表示装置３０を含んでいる。
【００２６】
図１に示す画像処理装置１０は、電気系統として、プロセッサーであるＣＰＵ１２、半導体メモリーであるＲＯＭ１３、半導体メモリーであるＲＡＭ１４、記憶部の例である記憶装置１５、入力装置１６、及び、通信インターフェイス１７を備えている。ここで、ＣＰＵはCentral Processing Unitの略称であり、ＲＯＭはRead Only Memoryの略称であり、ＲＡＭはRandom Access Memoryの略称であり、図１に示すＩ／Ｆはインターフェイスの略称である。コンピューターを画像処理装置１０として機能させる画像処理プログラムＰＲ０は、記憶装置１５に記憶され、ＣＰＵ１２によりＲＡＭ１４に読み出され、ＣＰＵ１２により実行される。画像処理プログラムＰＲ０が画像処理装置１０に実現させる複数の機能は、第一調色チャート印刷制御機能ＦＵ１、特定色彩値決定機能ＦＵ２、特定記録材値取得機能ＦＵ３、第二調色チャート印刷制御機能ＦＵ４、及び、第二調色パッチ選択機能ＦＵ５を含んでいる。ＣＰＵ１２は、ＲＡＭ１４をワークエリアとして使用しながら画像処理プログラムＰＲ０を実行することにより、機能ＦＵ１〜ＦＵ５等を画像処理装置１０に実現させ、各種処理を行う。前述の要素１２〜１５は、制御部１１の例である。制御部１１を構成するプロセッサーは、一つのＣＰＵに限定されず、複数のＣＰＵ、ＡＳＩＣといったハードウェア回路、ＣＰＵとハードウェア回路との組合せ、等でもよい。ここで、ＡＳＩＣは、Application Specific Integrated Circuitの略称である。
【００２７】
記憶装置１５は、画像処理プログラムＰＲ０の他に、図２，３に例示する調色チャートＣＨ１，ＣＨ２の印刷に使用されるカラープロファイル５０を記憶している。カラープロファイル５０は、Ｌａｂ色空間の座標値と、インク使用量に対応する記録材値と、の対応関係を表す色変換テーブル５１を含んでいる。カラープロファイル５０には、例えば、ＩＣＣプロファイルのデータフォーマットを用いることができる。ここで、ＩＣＣは、International Color Consortiumの略称である。
記憶装置１５には、フラッシュメモリーといった半導体メモリー、ハードディスクといった磁気記録媒体、等を用いることができる。記憶装置１５は、画像処理プログラムＰＲ０を記憶すると、画像処理プログラムＰＲ０を記録したコンピューター読み取り可能な媒体となる。
【００２８】
入力装置１６には、ポインティングデバイス、キーボードを含むハードキー、表示パネルの表面に貼り付けられたタッチパネル、等を用いることができる。通信インターフェイス１７は、プリンター２０の通信インターフェイス２１に有線又は無線で接続され、プリンター２０に対して印刷データ等といった情報を入出力する。通信インターフェイス１７，２１の接続は、ＵＳＢ接続といったローカル接続でもよいし、ＡＮやインターネットといったネットワーク接続でもよい。ここで、ＵＳＢはUniversal Serial Busの略称であり、ＬＡＮはLocal Area Networkの略称である。
【００２９】
尚、画像処理装置１０には、タブレット型端末を含むパーソナルコンピューターといったコンピューター等が含まれる。例えば、デスクトップ型パーソナルコンピューターの本体を画像処理装置１０に適用する場合、通常、この本体にプリンター２０と表示装置３０が接続される。ノート型パーソナルコンピューターのように表示装置一体型のコンピューターを画像処理装置１０に適用する場合、通常、このコンピューターにプリンター２０が接続される。表示装置一体型のホスト装置でも、内部の表示装置に表示データを出力していることに変わりない。また、画像処理装置１０は、一つの筐体内に全構成要素を有してもよいが、互いに通信可能に分割された複数の装置で構成されてもよい。さらに、プリンター２０の少なくとも一部が画像処理装置１０の内部にあっても、本技術を実施可能である。
【００３０】
図１に示すプリンター２０は、記録材として、Ｃインク、Ｍインク、Ｙインク、Ｋインク、Ｆｙインク、及び、ＣＬインクを記録ヘッド２２から吐出するインクジェットプリンターである。ここで、Ｃはシアンを意味し、Ｍはマゼンタを意味し、Ｙはイエローを意味し、Ｋはブラックを意味し、Ｆｙはイエローの蛍光色を意味し、ＣＬは透明を意味する。ＣＬインクは、グロスインクやバーニッシュインクと呼ばれることがあり、印刷画像ＩＭ１に質感や凹凸等の表面効果を付与する。記録ヘッド２２には、インクカートリッジＣｃ，Ｃｍ，Ｃｙ，Ｃｋ，Ｃｆｙ，ＣｃｌからそれぞれＣ，Ｍ，Ｙ，Ｋ，Ｆｙ，ＣＬのインクが供給される。記録ヘッド２２は、画像処理装置１０からの印刷データに従って、ノズルＮｃ，Ｎｍ，Ｎｙ，Ｎｋ，Ｎｆｙ，ＮｃｌからそれぞれＣ，Ｍ，Ｙ，Ｋ，Ｆｙ，ＣＬのインク滴２８を噴射する。インク滴２８が被印刷物（print substrate）である媒体ＭＥ０に着弾すると、インクドットが媒体ＭＥ０に形成される。その結果、印刷データに対応する出力画像ＩＭ１を媒体ＭＥ０上に有する印刷物が得られる。出力画像ＩＭ１には、カラーチャートが含まれる。
【００３１】
図２は、近似色チャートとも呼ばれる第一調色チャートＣＨ１の印刷物を模式的に例示している。捺染分野等では、印刷結果から目視で色合わせを行うため、指定された色値を中心とした複数パッチを含む近似色チャートが使用されている。図２に示すように、媒体ＭＥ０上の第一調色チャートＣＨ１は、指定された色値に対応する中心パッチＰＡ１ｃを中心として、明度Ｌを色差ΔＬの間隔、色座標ａを色差Δａの間隔、及び、色座標ｂを色差Δｂの間隔で並べられた複数の第一調色パッチＰＡ１を含んでいる。ここで、Ｌ値、ａ値、及び、ｂ値は、Ｌａｂ色空間における座標値である。色差には、ＣＩＥＤＥ２０００色差式で表される色差ΔＥ00、ＣＩＥ１９９４年色差式で表される色差ΔＥ*94、１９７６年に提案された色差ΔＥ*76、等を用いることができる。色差ΔＬ，Δａ，Δｂは、ΔＬ＝Δａ＝Δｂでもよいし、一部又は全部が異なる値でもよい。図２に示す第一調色チャートＣＨ１は、Ｌ値、ａ値、及び、ｂ値をそれぞれ３段階に変えた計２７個の第一調色パッチＰＡ１を含んでいる。むろん、第一調色パッチＰＡ１の数は、５3個など２７個よりも多くてもよいし、２７個未満でもよい。図２中、太線で囲まれた特定パッチＰＡ１０は、ユーザーにより選択されたパッチを示している。
【００３２】
互いにＬａｂ値が異なる複数の第一調色パッチＰＡ１を含む第一調色チャートＣＨ１を使用すると、ユーザーは、Ｌａｂ値の違いによる色合いを選択することができる。ここで、Ｌａｂ値は、Ｌａｂ色空間の座標値である色彩値を意味し、Ｌ値、ａ値、及び、ｂ値を含む。各第一調色パッチＰＡ１について、Ｌａｂ値が同じでもインクの含有量が異なると、発色特性が違ってくる。例えば、複数のインクに蛍光色Ｆｙのインクが含まれる場合、各第一調色パッチＰＡ１について同じ色彩値でも蛍光色Ｆｙのインクの含有量が異なると、蛍光の光り方が違ってくる。このような場合、ユーザーは、第一調色チャートＣＨ１を見ても、同じＬａｂ値における発色特性の違いを確認することができない。
そこで、本具体例では、図３に例示するように、選択された特定パッチＰＡ１０のＬａｂ値に複数対応付けられている記録材値で示されるインク使用量の各第二調色パッチＰＡ２を含む第二調色チャートＣＨ２を使用することにしている。
【００３３】
図３は、第二調色チャートＣＨ２の印刷物を模式的に例示している。媒体ＭＥ０上の第二調色チャートＣＨ２は、特定パッチＰＡ１０の特定色彩値（Ｌ０，ａ０，ｂ０）に対応付けられている複数の特定記録材値で示されるインク使用量の各第二調色パッチＰＡ２を含んでいる。図３には、複数の第二調色パッチＰＡ２に共通の特定色彩値（Ｌ０，ａ０，ｂ０）が（１１０，５０，５０）であり、「Ｃ１」の位置にあるパッチＰＡ２１の特定記録材値（Ｃ１，Ｍ１，Ｙ１，Ｋ１，Ｆｙ１）が（２５，０，６３，０，１５）であり、「Ｃ３」の位置にあるパッチＰＡ２２の特定記録材値（Ｃ２，Ｍ２，Ｙ２，Ｋ２，Ｆｙ２）が（２５，０，７３，０，５）であることが示されている。
第二調色チャートＣＨ２を使用すると、ユーザーは、同じＬａｂ値で互いにインク使用量が異なる複数の第二調色パッチＰＡ２から所望の発色特性の色を選択することができる。
【００３４】
図４は、第二調色チャートＣＨ２の印刷に使用される蛍光特性確認用カラープロファイル５０に含まれる色変換テーブル５１の構造を模式的に例示している。色変換テーブル５１は、Ｌａｂ色空間の座標値である色彩値Ｌａｂ０ｊと、インク使用量に対応する記録材値ＣＭＹＫＦｙｉｊと、の対応関係ＣＯを表すデータを有している。ここで、変数ｉは、共通の色彩値Ｌａｂ０ｊに対応付けられているｎ個の記録材値を識別する変数である。ここで、ｎは、複数を表す整数である。変数ｊは、仮想のＬａｂ色空間に設定されたｍ個の格子点を識別する変数である。ここで、ｍは、複数を表す整数である。色変換テーブル５１の複数の格子点は、Ｌａｂ色空間にａ軸方向、ｂ軸方向、及び、Ｌ軸方向へ略等間隔となるように並べられているものとする。各色彩値Ｌａｂ０ｊは色彩値（Ｌ０ｊ，ａ０ｊ，ｂ０ｊ）を意味し、各記録材値ＣＭＹＫＦｙｉｊは記録材値（Ｃｉｊ，Ｍｉｊ，Ｙｉｊ，Ｋｉｊ，Ｆｙｉｊ）を意味する。色彩値Ｌａｂ０すなわち（Ｌ０，ａ０，ｂ０）は色彩値（Ｌ０ｊ，ａ０ｊ，ｂ０ｊ）を代表し、記録材値ＣＭＹＫＦｙｉすなわち（Ｃｉ，Ｍｉ，Ｙｉ，Ｋｉ，Ｆｙｉ）は記録材値（Ｃｉｊ，Ｍｉｊ，Ｙｉｊ，Ｋｉｊ，Ｆｙｉｊ）を代表している。
【００３５】
図４の上部に示すように、色変換テーブル５１は、色彩値Ｌａｂ０と記録材値ＣＭＹＫＦｙ１との対応関係ＣＯ、色彩値Ｌａｂ０と記録材値ＣＭＹＫＦｙ２との対応関係ＣＯ、…、色彩値Ｌａｂ０と記録材値ＣＭＹＫＦｙｉとの対応関係ＣＯ、…、色彩値Ｌａｂ０と記録材値ＣＭＹＫＦｙｎとの対応関係ＣＯを有している。図４の下部に示すように、色彩値Ｌａｂ０と記録材値ＣＭＹＫＦｙｉとの対応関係ＣＯに着目すると、色彩値（Ｌ０ｊ，ａ０ｊ，ｂ０ｊ）に記録材値（Ｃｉｊ，Ｍｉｊ，Ｙｉｊ，Ｋｉｊ，Ｆｙｉｊ）が対応付けられていることが分かる。
色変換テーブル５１を使用して印刷を行う場合、複数の対応関係ＣＯの内いずれか一つの対応関係が使用される。デフォルトの対応関係は、ｉ＝１の対応関係であるものとする。
【００３６】
（３）画像処理装置が行う処理の具体例：
図５は、画像処理装置１０が行う色設定処理を模式的に例示している。ここで、ステップＳ１０２〜Ｓ１０８は、第一の処理、第一工程ＳＴ１、及び、第一調色チャート印刷制御機能ＦＵ１に対応している。ステップＳ１１０〜Ｓ１１２は、第二の処理、第二工程ＳＴ２、及び、特定色彩値決定機能ＦＵ２に対応している。ステップＳ１１４は、第三の処理、第三工程ＳＴ３、及び、特定記録材値取得機能ＦＵ３に対応している。ステップＳ１１６は、第四の処理、第四工程ＳＴ４、及び、第二調色チャート印刷制御機能ＦＵ４に対応している。ステップＳ１１８は、第五の処理、第五工程ＳＴ５、及び、第二調色パッチ選択機能ＦＵ５に対応している。以下、「ステップ」の記載を省略する。画像処理装置１０は、マルチタスクにより複数の処理を並列して実行している。
【００３７】
色設定処理が開始すると、制御部１１は、Ｓ１０２において、調色チャートＣＨ１，ＣＨ２の印刷に使用するカラープロファイル５０を設定する。例えば、使用するインクの種類の組合せとして、Ｃ，Ｍ，Ｙ，Ｋ，Ｆｙの５種類である第一の組合せ、Ｃ，Ｍ，Ｙ，Ｋの４種類である第二の組合せ、及び、Ｃ，Ｍ，Ｙ，Ｋ，ＣＬの５種類である第三の組合せがあるものとする。複数のカラープロファイルには、第一の組合せのインクを使用するための蛍光特性確認用カラープロファイル、第二の組合せのインクを使用するための粒状性確認用カラープロファイル、及び、第三の組合せのインクを使用するための表面効果確認用カラープロファイルが含まれるとする。この場合、制御部１１は、第一の組合せ、第二の組合せ、及び、第三の組合せの中からいずれか一つの組合せを入力装置１６により受け付け、受け付けた組合せに対応するカラープロファイルを印刷用として設定すればよい。
尚、表面効果確認用カラープロファイルを使用しない場合、使用するインクの組合せにＣＬインクは無くてもよい。蛍光特性確認用カラープロファイルを使用しない場合、使用するインクの組合せにＦｙインクは無くてもよい。表面効果確認用カラープロファイルと蛍光特性確認用カラープロファイルの両方を使用しない場合、使用するインクの組合せにＣＬインクとＦｙインクが無くてもよい。
【００３８】
カラープロファイル５０の設定後、制御部１１は、Ｓ１０４において、図６に例示するＵＩ画面２００を表示装置３０に表示させ、図２に示す中心パッチＰＡ１ｃに対応する中心色の設定を入力装置１６により受け付ける。ここで、ＵＩは、ユーザーインターフェイスの略称である。図６に示すＵＩ画面２００は、中心色の入力領域２１０、第一調色チャートＣＨ１に含まれる第一調色パッチＰＡ１の数の入力領域２２０、第一調色パッチＰＡ１を並べる色差の間隔の入力領域２３０、チャート印刷ボタン２４０、等を有している。図６に示す中心色入力領域２１０は、Ｌａｂ値の入力欄２１１、及び、ＣＭＹＫ値の入力欄２１２を有している。制御部１１は、Ｌａｂ値入力欄２１１においてＬａｂ値の操作入力を入力装置１６により受け付け、入力されたＬａｂ値を中心色として設定し、この中心色を表示欄２１３に表示させる。また、制御部１１は、ＣＭＹＫ値入力欄２１２においてＣＭＹＫ値の操作入力を入力装置１６により受け付け、入力されたＣＭＹＫ値をＬａｂ値に変換し、このＬａｂ値を中心色として設定し、この中心色を表示欄２１３に表示させる。ここで、ＣＭＹＫ値は、Ｃインクの使用量に対応するＣ値、Ｍインクの使用量に対応するＭ値、Ｙインクの使用量に対応するＹ値、及び、Ｋインクの使用量に対応するＫ値を意味する。ＣＭＹＫ値からＬａｂ値へは、カラープロファイル５０の色変換テーブル５１におけるｉ＝１の対応関係ＣＯを参照することにより変換することができる。尚、Ｌａｂ値入力欄２１１とＣＭＹＫ値入力欄２１２のいずれか一方は、無くてもよい。
【００３９】
また、制御部１１は、Ｓ１０６において、第一調色チャートＣＨ１に含まれる第一調色パッチＰＡ１の数の設定、及び、第一調色パッチＰＡ１を並べる色差の間隔の設定を入力装置１６により受け付ける。例えば、制御部１１は、パッチ数入力領域２２０において、横向きのスライダーバーに沿ってスライダーを移動可能なスライダーコントロール２２１への操作入力を入力装置１６により受け付け、スライダーの位置に応じたパッチ数を設定し、このパッチ数をパッチ数欄２２２に表示する。例えば、第一調色パッチＰＡ１の並びをＬ値、ａ値、及び、ｂ値のそれぞれについてＮｐ段階にする場合、第一調色パッチＰＡ１の数はＮｐ3個に設定される。Ｎｐ＝７である場合、図６に示すようにパッチ数が３４３個になる。また、制御部１１は、色差間隔入力領域２３０において、横向きのスライダーバーに沿ってスライダーを移動可能なスライダーコントロール２３１への操作入力を入力装置１６により受け付け、スライダーの位置に応じた色差間隔を設定し、この色差間隔を色差間隔欄２３２に表示する。図６には、第一調色パッチＰＡ１を並べる色差の間隔が５に設定されていることが示されている。
【００４０】
尚、Ｓ１０４の処理は、Ｓ１０６の処理の後でも行われる。Ｓ１０４，Ｓ１０６の処理は、チャート印刷ボタン２４０が入力装置１６により操作されるまで繰り返し行われる。制御部１１は、チャート印刷ボタン２４０の操作を入力装置１６により受け付けると、処理をＳ１０８に進め、図２で示したように、互いにＬａｂ値が異なる複数の第一調色パッチＰＡ１を含む第一調色チャートＣＨ１をプリンター２０に印刷させる。制御部１１は、図２に示すように、各第一調色パッチＰＡ１を識別するための文字もプリンター２０に印刷させてもよい。Ｓ１０８の処理は、例えば、以下のようにして行うことができる。
【００４１】
まず、制御部１１は、Ｓ１０４〜Ｓ１０６の処理において設定された情報、すなわち、中心色のＬａｂ値、第一調色パッチＰＡ１の数、及び、第一調色パッチＰＡ１を並べる色差の間隔に基づいて、各第一調色パッチＰＡ１のＬａｂ値を決定する。次に、制御部１１は、各第一調色パッチＰＡ１について、色変換テーブル５１においてｉ＝１に対応する対応関係ＣＯを参照することにより、Ｌａｂ値をインク使用量に対応する記録材値に変換する。例えば、蛍光特性確認用カラープロファイルが設定されている場合、各第一調色パッチＰＡ１のＬａｂ値がＣＭＹＫＦｙ値に変換される。ここで、ＣＭＹＫＦｙ値は、Ｃ値、Ｍ値、Ｙ値、Ｋ値、及び、Ｆｙ値を意味する。第一調色パッチＰＡ１のＬａｂ値が色変換テーブル５１に無い場合、制御部１１は、第一調色パッチＰＡ１のＬａｂ値を囲む複数の格子点に対応付けられているＣＭＹＫＦｙ値を用いた補間演算によりＬａｂ値を対応するＣＭＹＫＦｙ値に変換することができる。
【００４２】
第一調色チャートＣＨ１の印刷後、制御部１１は、Ｓ１１０において、第一調色チャートＣＨ１に含まれる第一調色パッチＰＡ１の選択操作を入力装置１６により受け付ける。例えば、制御部１１は、図２に示す第一調色チャートＣＨ１に付加された文字群のうち特定パッチＰＡ１０に対応する文字の操作入力を入力装置１６により受け付けてもよい。この場合、ユーザーは、特定パッチＰＡ１０に対応する「Ｇ３」を入力装置１６により操作入力すればよい。また、制御部１１は、第一調色チャートＣＨ１に含まれる第一調色パッチＰＡ１の配置を示す画面を表示装置３０に表示させ、表示された画面から特定パッチＰＡ１０の選択操作を入力装置１６により受け付けてもよい。
【００４３】
パッチ選択操作の受け付け後、制御部１１は、Ｓ１１２において、特定パッチＰＡ１０に対応する特定色彩値（Ｌ０，ａ０，ｂ０）を決定する。上述したように、各第一調色パッチＰＡ１にはＬａｂ値が対応付けられているので、制御部１１は、特定パッチＰＡ１０に対応するＬａｂ値を特定色彩値（Ｌ０，ａ０，ｂ０）として取得すればよい。
以上より、第一調色チャートＣＨ１に含まれる第一調色パッチＰＡ１の選択操作に応じた特定色彩値（Ｌ０，ａ０，ｂ０）が決定される。
【００４４】
特定色彩値の決定後、制御部１１は、Ｓ１１４において、図４で示したような色変換テーブル５１から特定色彩値（Ｌ０，ａ０，ｂ０）に対応する複数の特定記録材値（Ｃｉ，Ｍｉ，Ｙｉ，Ｋｉ，Ｆｙｉ）を取得する。例えば、特定色彩値が（Ｌ０ｊ，ａ０ｊ，ｂ０ｊ）である場合、制御部１１は、色変換テーブル５１から特定色彩値（Ｌ０ｊ，ａ０ｊ，ｂ０ｊ）に対応する特定記録材値を探索し、特定記録材値（Ｃ１ｊ，Ｍ１ｊ，Ｙ１ｊ，Ｋ１ｊ，Ｆｙ１ｊ），（Ｃ２ｊ，Ｍ２ｊ，Ｙ２ｊ，Ｋ２ｊ，Ｆｙ２ｊ），…，（Ｃｉｊ，Ｍｉｊ，Ｙｉｊ，Ｋｉｊ，Ｆｙｉｊ），…，（Ｃｎｊ，Ｍｎｊ，Ｙｎｊ，Ｋｎｊ，Ｆｙｎｊ）を取得すればよい。特定色彩値（Ｌ０，ａ０，ｂ０）が色変換テーブル５１に無い場合、制御部１１は、特定色彩値（Ｌ０，ａ０，ｂ０）を囲む複数の格子点に対応付けられているＣＭＹＫＦｙ値を用いた補間演算により特定色彩値（Ｌ０，ａ０，ｂ０）に対応する複数の特定記録材値（Ｃｉ，Ｍｉ，Ｙｉ，Ｋｉ，Ｆｙｉ）を取得することができる。
以上より、カラープロファイル５０に含まれる複数の対応関係ＣＯに従って、特定色彩値（Ｌ０，ａ０，ｂ０）に対応する複数の特定記録材値（Ｃｉ，Ｍｉ，Ｙｉ，Ｋｉ，Ｆｙｉ）が取得される。
【００４５】
複数の特定記録材値の取得後、制御部１１は、Ｓ１１６において、図３で示したように、各特定記録材値（Ｃｉ，Ｍｉ，Ｙｉ，Ｋｉ，Ｆｙｉ）について対応するインク使用量の第二調色パッチＰＡ２を含む第二調色チャートＣＨ２をプリンター２０に印刷させる。各第二調色パッチＰＡ２は、特定記録材値（Ｃｉ，Ｍｉ，Ｙｉ，Ｋｉ，Ｆｙｉ）に対応する使用量のインクにより形成される。制御部１１は、図３に示すように、各第二調色パッチＰＡ２を識別するための文字もプリンター２０に印刷させてもよい。
【００４６】
上述したように、第二調色チャートＣＨ２に含まれる複数の第二調色パッチＰＡ２は、全て特定色彩値（Ｌ０，ａ０，ｂ０）を示すパッチである。しかし、各第二調色パッチＰＡ２は、ＣＭＹＫＦｙのインクの成分が少しずつ異なる。例えば、図３において、「Ｃ１」の位置にあるパッチＰＡ２１の特定記録材値（Ｃ１，Ｍ１，Ｙ１，Ｋ１，Ｆｙ１）が（２５，０，６３，０，１５）であり、「Ｃ３」の位置にあるパッチＰＡ２２の特定記録材値（Ｃ２，Ｍ２，Ｙ２，Ｋ２，Ｆｙ２）が（２５，０，７３，０，５）である。パッチＰＡ２１，ＰＡ２２に着目すると、パッチＰＡ２１におけるＦｙの特定記録材値Ｆｙ１に対応するインク使用量は第一蛍光色使用量の例であり、パッチＰＡ２２におけるＦｙの特定記録材値Ｆｙ２に対応するインク使用量は第二蛍光色使用量の例である。むろん、第一蛍光色使用量のパッチと第二蛍光色使用量のパッチの組合せは、第二調色チャートＣＨ２から任意に選択される。
【００４７】
第二調色チャートＣＨ２の印刷後、制御部１１は、Ｓ１１８において、第二調色チャートＣＨ２に含まれる第二調色パッチＰＡ２の選択操作を入力装置１６により受け付ける。例えば、制御部１１は、図３に示す第二調色チャートＣＨ２に付加された文字群のうち選択パッチＰＡ２０に対応する文字の操作入力を入力装置１６により受け付けてもよい。この場合、ユーザーは、選択パッチＰＡ２０に対応する「Ｂ３」を入力装置１６により操作入力すればよい。また、制御部１１は、第二調色チャートＣＨ２に含まれる第二調色パッチＰＡ２の配置を示す画面を表示装置３０に表示させ、表示された画面から選択パッチＰＡ２０の選択操作を入力装置１６により受け付けてもよい。
以上より、ユーザーは、同じＬａｂ値であってもＦｙインクの使用量に応じて蛍光特性が異なる複数の色から所望の蛍光特性の色を選択することができる。
【００４８】
特定パッチＰＡ１０と選択パッチＰＡ２０とにより示される蛍光特性の色を再現するため、制御部１１は、Ｓ１２０において、ユーザー専用の色変換テーブルを生成してもよい。その後、制御部１１は、色設定処理を終了させる。ここで、選択パッチＰＡ２０の記録材値を（Ｃｓ，Ｍｓ，Ｙｓ，Ｋｓ，Ｆｙｓ）とする。例えば、制御部１１は、カラープロファイル５０に含まれる色変換テーブル５１においてｉ＝１の対応関係ＣＯを表す元色変換テーブルにおいて、Ｓ１０４において設定された中心色のＬａｂ値に記録材値（Ｃｓ，Ｍｓ，Ｙｓ，Ｋｓ，Ｆｙｓ）を対応付けることにより、ユーザー専用の色変換テーブルを生成することができる。このようにして、カラーマネジメントが行われる。ユーザー専用の色変換テーブルを参照することにより印刷データが生成され、この印刷データに従った印刷がプリンター２０で行われると、ユーザー好みの蛍光特性の色が印刷画像に再現される。
【００４９】
上述した色設定処理により、同じ特定色彩値（Ｌ０，ａ０，ｂ０）で異なる複数の特定記録材値（Ｃｉ，Ｍｉ，Ｙｉ，Ｋｉ，Ｆｙｉ）のそれぞれに対応するインク使用量の第二調色パッチＰＡ２を含む第二調色チャートＣＨ２が印刷される。ユーザーは、第二調色チャートＣＨ２を見ることにより、同じ色合いで蛍光インクの光り方を確認することができ、色合いを変えずに所望の発色特性の色を選択することができ、蛍光の光らせ方の調整を簡単に行えるようになる。従って、本具体例は、同じ色彩値であってもインク使用量に応じて発色特性が異なる場合に所望の発色特性の色を選択することが可能となる。また、インクの組合せにＫインクが含まれているので、本具体例は、同じ色彩値であってもＫインクの使用量に応じて粒状性が異なる複数の色から所望の粒状性の色を選択することが可能となる。
【００５０】
尚、印刷装置には、昇華型インクを用いることにより転写紙に出力画像を形成する昇華転写プリンターといった転写型印刷装置もある。例えば、ユニフォームにチームカラーを転写する場合、転写型印刷装置が転写紙にチームカラーを印刷し、転写装置がチームカラーをユニフォームに転写する。他にも、制服にコーポレイトカラーを転写する場合等が考えられる。これらのような場合、転写紙に印刷されたカラーチャートからパッチを選択するのではなく、転写紙から別の媒体に転写されたカラーチャートからパッチを選択する方が、好ましい。
まず、図７を参照して、転写から別の媒体、例えば、布に印刷画像を転写する転写装置の例を説明する。
【００５１】
図７は、熱転写装置３００を模式的に例示している。図７に示す転写装置３００は、加熱板３２３、支柱３２９、加圧板３２２、ハンドル３２１、及び、コントローラー３２５を備えている。加熱板３２３は、印刷画像が付着した熱転写紙ＭＥ１と、布ＭＥ２と、の積層物を加熱する。ここで、熱転写紙ＭＥ１は第一媒体の例であり、布ＭＥ２は第二媒体の例である。支柱３２９は、加熱板３２３の一縁部から加熱板３２３の加熱面３２３ａに交差する方向へ延出している。加圧板３２２は、支柱３２９に支えられ、両矢印Ｓの向き、すなわち、加熱面３２３ａに近付く向き、及び、加熱面３２３ａから離れる向きへ回転動作可能である。ハンドル３２１は、加圧板３２２に取り付けられている。コントローラー３２５は、加熱板３２３の加熱条件の設定をユーザーから受け付ける。図７に示すコントローラー３２５は、タッチパネル３２６を備えたタブレット端末であり、転写装置３００の本体３２０に対して通信ケーブル３２７により接続され、通信ケーブル３２７を介して転写装置３００の動作を制御する。
【００５２】
熱転写紙ＭＥ１と布ＭＥ２との積層物を加熱板３２３に載せてハンドル３２１の操作により加熱板３２３と加圧板３２２とで挟んで加熱すると、熱転写紙ＭＥ１から布ＭＥ２に印刷画像が転写される。印刷画像が調色チャートＣＨ１，ＣＨ２である場合、調色チャートＣＨ１，ＣＨ２が布に転写される。
むろん、転写装置３００は、図７で示した例に限定されない。例えば、転写装置３００は、ロール状の熱転写紙ＭＥ１を解いて布ＭＥ２に重ねて加熱ローラーにより積層物を加熱及び加圧することにより、熱転写紙ＭＥ１から布ＭＥ２に印刷画像を転写してもよい。
【００５３】
図５で示した色設定処理において、Ｓ１０８の処理は、転写型印刷装置であるプリンター２０に対して昇華型インクによる第一調色チャートＣＨ１を熱転写紙ＭＥ１に付着させる処理となる。この処理の後、ユーザーは、第一調色チャートＣＨ１が付着した面を布ＭＥ２に向けて熱転写紙ＭＥ１を布ＭＥ２に重ね、この積層物を転写装置３００の加熱面３２３ａに載置してハンドル３２１の操作により加熱板３２３と加圧板３２２とで挟む操作を行うことになる。加熱板３２３と加圧板３２２とで挟まれた積層物が加熱されると、熱転写紙ＭＥ１から布ＭＥ２に第一調色チャートＣＨ１が転写される。Ｓ１１０の処理は、布ＭＥ２に転写された第一調色チャートＣＨ１に含まれる第一調色パッチＰＡ１の選択操作を入力装置１６により受け付ける処理となる。ユーザーは、布ＭＥ２に転写された第一調色チャートＣＨ１を見ることにより、所望の色合いの第一調色パッチＰＡ１を精度よく選択することができる。
【００５４】
また、Ｓ１１６の処理は、プリンター２０に対して昇華型インクによる第二調色チャートＣＨ２を熱転写紙ＭＥ１に付着させる処理となる。この処理の後、ユーザーは、第二調色チャートＣＨ２が付着した面を布ＭＥ２に向けて熱転写紙ＭＥ１を布ＭＥ２に重ね、この積層物を転写装置３００の加熱面３２３ａに載置してハンドル３２１の操作により加熱板３２３と加圧板３２２とで挟む操作を行うことになる。加熱板３２３と加圧板３２２とで挟まれた積層物が加熱されると、熱転写紙ＭＥ１から布ＭＥ２に第二調色チャートＣＨ２が転写される。これにより、第一媒体に印刷されたカラーチャートを第二媒体に転写する転写工程ＳＴ６が実施される。Ｓ１１８の処理は、布ＭＥ２に転写された第二調色チャートＣＨ２に含まれる第二調色パッチＰＡ２の選択操作を入力装置１６により受け付ける処理となる。ユーザーは、布ＭＥ２に転写された第二調色チャートＣＨ２を見ることにより、所望の発色特性の第二調色パッチＰＡ２を精度よく選択することができる。
【００５５】
また、図５で示したＳ１０２の処理において粒状性確認用カラープロファイルが設定された場合、Ｃ，Ｍ，Ｙ，Ｋの４種類のインクが使用される。この場合、色変換テーブル５１は、色彩値Ｌａｂ０ｊと記録材値ＣＭＹＫｉｊとの対応関係ＣＯを表すデータを有することになる。すなわち、粒状性確認用カラープロファイルの色変換テーブル５１は、図４で示した色変換テーブルのうちＦｙ値を無くしたデータを有することになる。
【００５６】
図８は、粒状性確認用カラープロファイルを使用した場合の第二調色チャートＣＨ２の印刷物を模式的に例示している。媒体ＭＥ０上の第二調色チャートＣＨ２は、特定パッチＰＡ１０の特定色彩値（Ｌ０，ａ０，ｂ０）に対応付けられている複数の特定記録材値で示されるインク使用量の各第二調色パッチＰＡ２を含んでいる。図８には、複数の第二調色パッチＰＡ２に共通の特定色彩値（Ｌ０，ａ０，ｂ０）が（１０，５０，５０）であり、「Ｃ１」の位置にあるパッチＰＡ２１の特定記録材値（Ｃ１，Ｍ１，Ｙ１，Ｋ１）が（２３，０，０，５０）であり、「Ｃ３」の位置にあるパッチＰＡ２２の特定記録材値（Ｃ２，Ｍ２，Ｙ２，Ｋ２）が（２５，０，０，６０）であることが示されている。パッチＰＡ２１，ＰＡ２２に着目すると、パッチＰＡ２１におけるＫの特定記録材値Ｋ１に対応するインク使用量は第一ブラック使用量の例であり、パッチＰＡ２２におけるＫの特定記録材値Ｋ２に対応するインク使用量は第二ブラック使用量の例である。むろん、第一ブラック使用量のパッチと第二ブラック使用量のパッチの組合せは、第二調色チャートＣＨ２から任意に選択される。
【００５７】
粒状性確認用カラープロファイルに従った第二調色チャートＣＨ２を使用すると、ユーザーは、同じ色合いでＫインクドットの粒状感を確認することができ、色合いを変えずに所望の粒状性の色を選択することができ、粒状感を抑えたインク量の調整を簡単に行えるようになる。従って、図８に示す例は、同じ色彩値であってもＫインクの使用量に応じて粒状性が異なる複数の色から所望の粒状性の色を選択することが可能となる。また、粒状感の確認のみならず、グレー色にＭが混ざる「赤転び」といったグレーの色ずれに対してもインク量の調整を簡単に行えるようになる。特に、様々な特殊インクを併用すると「赤転び」といったグレーの色ずれが生じることがあるので、このような場合に本技術を適用すると好適である。
【００５８】
さらに、図５で示したＳ１０２の処理において表面効果確認用カラープロファイルが設定された場合、Ｃ，Ｍ，Ｙ，Ｋ，ＣＬの５種類のインクが使用される。この場合、色変換テーブル５１は、色彩値Ｌａｂ０ｊと記録材値ＣＭＹＫＣＬｉｊとの対応関係ＣＯを表すデータを有することになる。すなわち、表面効果確認用カラープロファイルの色変換テーブル５１は、図４で示した色変換テーブルのうちＦｙ値がＣＬ値に変わったデータを有することになる。一般に、印刷画像にＣＬインクドットが混ざるとＬ値が高くなるため、ＣＬインクの使用量が増えるとＣ，Ｍ，Ｙ，ＫのインクによりＬ値を下げるように記録材値ＣＭＹＫＣＬｉｊが設定される。
【００５９】
印刷画像においてＣ，Ｍ，Ｙ，ＫのインクドットにＣＬのインクドットを重ねる場合、制御部１１は、Ｃ，Ｍ，Ｙ，ＫのインクドットにＣＬのインクドットを重ねるように印刷データを生成し、この印刷データをプリンター２０に送信すればよい。印刷データを受信したプリンター２０は、印刷データに基づいて、Ｃ，Ｍ，Ｙ，ＫのインクドットにＣＬのインクドットを重ねるように記録ヘッド２２を駆動し、表面にＣＬのインクドットを有する印刷画像を媒体上に形成する。
【００６０】
図９は、表面効果確認用カラープロファイルを使用した場合の第二調色チャートＣＨ２の印刷物を模式的に例示している。媒体ＭＥ０上の第二調色チャートＣＨ２は、特定パッチＰＡ１０の特定色彩値（Ｌ０，ａ０，ｂ０）に対応付けられている複数の特定記録材値で示されるインク使用量の各第二調色パッチＰＡ２を含んでいる。図９には、複数の第二調色パッチＰＡ２に共通の特定色彩値（Ｌ０，ａ０，ｂ０）が（１１０，５０，５０）であり、「Ｃ１」の位置にあるパッチＰＡ２１の特定記録材値（Ｃ１，Ｍ１，Ｙ１，Ｋ１，ＣＬ１）が（２５，０，６３，０，１５）であり、「Ｃ３」の位置にあるパッチＰＡ２２の特定記録材値（Ｃ２，Ｍ２，Ｙ２，Ｋ２，ＣＬ２）が（２７，２，６５，０，５）であることが示されている。パッチＰＡ２１，ＰＡ２２に着目すると、パッチＰＡ２１におけるＣＬの特定記録材値ＣＬ１に対応するインク使用量は第一透明使用量の例であり、パッチＰＡ２２におけるＣＫの特定記録材値ＣＬ２に対応するインク使用量は第二透明使用量の例である。むろん、第一透明使用量のパッチと第二透明使用量のパッチの組合せは、第二調色チャートＣＨ２から任意に選択される。
【００６１】
表面効果確認用カラープロファイルに従った第二調色チャートＣＨ２を使用すると、ユーザーは、同じ色合いで質感や凹凸や光沢といった表面効果を確認することができ、色合いを変えずに所望の表面効果の色を選択することができ、表面効果の調整を簡単に行えるようになる。従って、図９に示す例は、同じ色彩値であってもＣＬインクの使用量に応じて表面効果が異なる複数の色から所望の表面効果の色を選択することが可能となる。また、インクの組合せにＫインクが含まれているので、図９に示す例は、同じ色彩値であってもＫインクの使用量に応じて粒状性が異なる複数の色から所望の粒状性の色を選択することが可能となる。
【００６２】
上述した様々な具体例は、色差確認用の第一調色チャートＣＨ１に加えて、蛍光や粒状性や光沢等を確認するための第二調色チャートＣＨ２を利用したカラーマネジメントを行うことができる。これにより、蛍光や粒状性や光沢等について所望の発色特性となる印刷成果物を生成することが可能となる。
【００６３】
（４）変形例：
本発明は、種々の変形例が考えられる。
例えば、印刷装置は、インクジェットプリンターに限定されず、記録材としてトナーを使用するレーザープリンターといった電子写真方式のプリンター等でもよい。また、印刷装置は、コピー機、ファクシミリ、これらの機能を備えた複合機、等でもよい。
使用する記録材の種類の組合せは、上述した例に限定されない。例えば、Ｃ，Ｍ，Ｙ，Ｋ，Ｆｙ，ＣＬの６種類全ての記録材を組み合わせることにより、粒状性と蛍光特性と表面特性について所望の発色特性となるように色を選択することが可能となる。また、記録材の組合せには、Ｃよりも低濃度のライトシアンＬｃ、Ｍよりも低濃度のライトマゼンタＬｍ、Ｙよりも高濃度のダークイエローＤｙ、オレンジＯｒ、グリーンＧｒ、Ｆｙ以外の蛍光色、等の少なくとも一部が含まれてもよい。
【００６４】
第一調色チャートＣＨ１からの特定パッチＰＡ１０の選択により特定色彩値（Ｌ０，ａ０，ｂ０）が決まっても、第二調色チャートＣＨ２に含まれる複数の第二調色パッチＰＡ２に所望の発色特性の色が含まれていないことも想定される。この場合、第一調色チャートＣＨ１から特定パッチＰＡ１０を選び直してから第二調色チャートＣＨ２を再印刷することが考えられるが、手間が掛かる。そこで、図１０に例示するように、特定色彩値（Ｌ０，ａ０，ｂ０）に対応する複数の第二調色パッチＰＡ２を含む第一パッチ群Ｇ１に加えて、特定色彩値とは所定色差異なる周辺色彩値に対応する複数の第二調色パッチＰＡ２を含む第二パッチ群Ｐ２を含む第二調色チャートＣＨ２が印刷されてもよい。
【００６５】
第一パッチ群Ｇ１は、特定色彩値（Ｌ０，ａ０，ｂ０）に対応する各特定記録材値に対応するインク使用量の第二調色パッチＰＡ２を含んでいる。第二パッチ群Ｐ２は、周辺色彩値に対応する各特定記録材値に対応するインク使用量の第二調色パッチＰＡ２を含んでいる。周辺色彩値は、例えば、特定色彩値（Ｌ０，ａ０，ｂ０）との色差がΔａ＝Δｂ＝ΔＬであるＬａｂ値とすることができる。図１０に示す第二調色チャートＣＨ２では、第一パッチ群Ｇ１を中心として、パッチ群Ｇ１，Ｇ２のａ値が右方向へΔａずつ変わり、パッチ群Ｇ１，Ｇ２のｂ値が上方向へΔｂずつ変わっていることが示されている。すなわち、第二調色チャートＣＨ２の右端にある３組の第二パッチ群Ｇ２のａ値は第一パッチ群Ｇ１のａ値よりもΔａ大きく、第二調色チャートＣＨ２の左端にある３組の第二パッチ群Ｇ２のａ値は第一パッチ群Ｇ１のａ値よりもΔａ小さい。また、第二調色チャートＣＨ２の上端にある３組の第二パッチ群Ｇ２のｂ値は第一パッチ群Ｇ１のｂ値よりもΔｂ大きく、第二調色チャートＣＨ２の下端にある３組の第二パッチ群Ｇ２のｂ値は第一パッチ群Ｇ１のｂ値よりもΔｂ小さい。図示していないが、第二調色チャートＣＨ２は、第一パッチ群Ｇ１とはＬ値が異なる第二パッチ群Ｇ２を含んでいてもよい。
【００６６】
図１０に示す第二調色チャートＣＨ２を見たユーザーは、特定色彩値（Ｌ０，ａ０，ｂ０）の第一パッチ群Ｇ１のみならず、周辺色彩値の第二パッチ群Ｇ２からも所望の色のパッチを選択することができる。これにより、基準となる特定色彩値よりも発色特性を優先して色を選択することが可能となる。尚、第二パッチ群Ｇ２に選択パッチＰＡ２０がある場合も、図４に示すようにｉ＝１の対応関係ＣＯを表す元色変換テーブルにおいて、中心色のＬａｂ値に選択パッチＰＡ２０の記録材値（Ｃｓ，Ｍｓ，Ｙｓ，Ｋｓ，Ｆｙｓ）が対応付けられることにより、カラーマネジメントが行われる。
【００６７】
（５）結び：
以上説明したように、本発明によると、種々の態様により、同じ色彩値であっても記録材の使用量に応じて発色特性が異なる場合に所望の発色特性の色を選択することが可能な技術等を提供することができる。むろん、独立請求項に係る構成要件のみからなる技術でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【符号の説明】
【００６８】
１０…画像処理装置、１１…制御部、１５…記憶装置、１６…入力装置、２０…プリンター、３０…表示装置、５０…カラープロファイル、５１…色変換テーブル、２００…ＵＩ画面、３００…転写装置、ＣＨ１…第一調色チャート、ＣＨ２…第二調色チャート、ＣＯ…対応関係、Ｇ１…第一パッチ群、Ｇ２…第二パッチ群、ＭＥ０…媒体、ＭＥ１…熱転写紙、ＭＥ２…布、ＰＡ１…第一調色パッチ、ＰＡ１ｃ…中心パッチ、ＰＡ２…第二調色パッチ、ＰＡ１０…特定パッチ、ＰＡ２０…選択パッチ、ＳＹ１…画像処理システム。
【図１】
2020198585.tif 000003
【図２】
2020198585.tif 000004
【図３】
2020198585.tif 000005
【図４】
2020198585.tif 000006
【図５】
2020198585.tif 000007
【図６】
2020198585.tif 000008
【図７】
2020198585.tif 000009
【図８】
2020198585.tif 000010
【図９】
2020198585.tif 000011
【図１０】
2020198585.tif 000012